(57)【特許請求の範囲】
【請求項１】
給水路を有し当該給水路を流れる水を加熱して温水を生成する熱源機と、室内に向けられた複数のミストノズルを備え、前記給水路に接続された前記ミストノズルに前記熱源機で生成した温水を供給して当該ミストノズルから前記室内に向けてミストを噴出するミスト運転を行うミスト部と、給湯口を有し前記給水路に接続された前記給湯口に前記熱源機で生成した温水を供給する給湯運転を行う給湯部と、を備えるミスト機能付給湯装置であって、
前記熱源機で生成する温水の目標温度を、前記ミスト運転用のミスト給湯温度と、前記給湯運転用の給湯温度とに切換えて前記ミスト運転及び前記給湯運転を制御する制御部を備えるとともに、
室内から内気を吸引するとともに、前記内気を加温して温風として室内に戻す暖房運転を行う内気循環部を備え、
前記制御部は、
前記ミスト運転の実行が要求され且つ前記給湯運転の実行が要求されていないとき、前記目標温度を前記ミスト給湯温度に設定して前記ミスト運転を実行し、
前記ミスト運転の実行が要求されておらず且つ前記給湯運転の実行が要求されているとき、前記目標温度を前記給湯温度に設定して前記給湯運転を実行し、
前記ミスト運転の実行が要求され且つ前記給湯運転の実行が要求されているとき、前記目標温度を前記給湯温度に設定して前記給湯運転を実行するとともに、前記ミスト運転を実行せずに待機状態にし、
前記ミスト運転のみの実行中に前記給水路を流れるミスト用流量を記憶しており、前記ミスト運転の実行中において、前記給水路の流量が前記ミスト用流量を越えたときに前記給湯運転の実行の要求を検知し、
前記ミスト運転が前記待機状態のときに前記暖房運転を行い、前記給湯運転が停止して前記待機状態の前記ミスト運転が実行されるときに前記暖房運転を停止するミスト機能付給湯装置。
【請求項２】
前記制御部は、前記ミスト運転が前記待機状態のときに前記給湯運転が停止すると前記ミスト運転を実行する請求項１に記載のミスト機能付給湯装置。
【発明の詳細な説明】
【技術分野】
【０００１】
本発明は、給水路を流れる水を加熱して温水を生成する熱源機と、室内に向けられた複数のミストノズルを備え、前記給水路から前記ミストノズルに熱源機で生成された温水を供給して前記室内に向けてミストを噴出するミスト運転を行うミスト部と、給水路から給湯口に熱源機で生成された温水を供給して給湯を行う給湯部と、を備えるミスト機能付給湯装置に関する。
【背景技術】
【０００２】
従来、自宅の浴室でも手軽にミストサウナ入浴を楽しむことができる機器が販売されている。この種の機器において、ミストを発生する（ミスト用水を噴出する）手段として、いわゆる「温水循環方式」や、「給湯直結方式」が存在する。温水循環方式は、機器内の熱交換器で熱源機から送られる高温用暖房温水（例えば８０℃）と給水との間で熱交換を行って機器内で給水を加熱し、ミストノズルからミスト状に噴出する方式である。一方、給湯直結方式は、例えば熱源機から機器に給湯配管を通して熱源機で加熱した湯をそのままミストノズルからミスト状に噴出する方式である。
【０００３】
ミスト水の温度は例えば４８℃以上の高温であり、給湯直結方式ではミスト水を直接加熱するため、温水循環方式よりも多くの水量が必要となる。このため、従来は、温水循環方式のミスト発生装置（例えば特許文献１）が広く利用されてきた。
【先行技術文献】
【特許文献】
【０００４】
【特許文献１】特開２００６−３０４８７１号公報
【発明の概要】
【発明が解決しようとする課題】
【０００５】
温水循環方式のミスト発生装置では、高温用暖房温水を循環させる配管や設備等が必要になる。一方、給湯直結方式のミスト発生装置（ミスト機能付給湯装置）であると、温水循環方式のミスト発生装置に必要な配管等の設備が不要になるため、ミスト発生装置の設備コストを低く抑えることができる。しかし、給湯直結方式のミスト発生装置では、シャワーや手洗い等の通常の給湯用途にも熱源機で生成した温水を供給する必要がある。熱源機で生成する温水の目標温度は、ミスト給湯温度と通常の給湯温度の何れかに設定される。このとき、給湯用途が変更される度にユーザが目標温度を切換えるのは面倒である。また、ミスト運転と給湯運転とが同時に行われる場合には、給湯温度でミストを発生させることになり、ミストが冷たい等の問題がある。
【０００６】
そこで、ユーザに不便をかけることなしに、ミスト運転及び給湯運転の実行が可能なミスト機能付給湯装置が求められる。
【課題を解決するための手段】
【０００７】
本発明に係るミスト機能付給湯装置の特徴構成は、  給水路を有し当該給水路を流れる水を加熱して温水を生成する熱源機と、室内に向けられた複数のミストノズルを備え、前記給水路に接続された前記ミストノズルに前記熱源機で生成した温水を供給して当該ミストノズルから前記室内に向けてミストを噴出するミスト運転を行うミスト部と、給湯口を有し前記給水路に接続された前記給湯口に前記熱源機で生成した温水を供給する給湯運転を行う給湯部と、を備えるミスト機能付給湯装置であって、前記熱源機で生成する温水の目標温度を、前記ミスト運転用のミスト給湯温度と、前記給湯運転用の給湯温度とに切換えて前記ミスト運転及び前記給湯運転を制御する制御部を備えるとともに、室内から内気を吸引するとともに、前記内気を加温して温風として室内に戻す暖房運転を行う内気循環部を備え、前記制御部は、前記ミスト運転の実行が要求され且つ前記給湯運転の実行が要求されていないとき、前記目標温度を前記ミスト給湯温度に設定して前記ミスト運転を実行し、前記ミスト運転の実行が要求されておらず且つ前記給湯運転の実行が要求されているとき、前記目標温度を前記給湯温度に設定して前記給湯運転を実行し、前記ミスト運転の実行が要求され且つ前記給湯運転の実行が要求されているとき、前記目標温度を前記給湯温度に設定して前記給湯運転を実行するとともに、前記ミスト運転を実行せずに待機状態にし、前記ミスト運転のみの実行中に前記給水路を流れるミスト用流量を記憶しており、前記ミスト運転の実行中において、前記給水路の流量が前記ミスト用流量を越えたときに前記給湯運転の実行の要求を検知し、前記ミスト運転が前記待機状態のときに前記暖房運転を行い、前記給湯運転が停止して前記待機状態の前記ミスト運転が実行されるときに前記暖房運転を停止する点にある。
【０００８】
このような特徴構成とすれば、ミスト運転と給湯運転のうち一方の実行が要求されているときは、そのままミスト運転または給湯運転が実行され、ミスト運転及び給湯運転の両方の実行が要求されているときは、給湯運転が優先されてミスト運転が待機状態になる。これにより、ミスト運転及び給湯運転は、同時運転が回避されて安定的に実行することができる。
また、ミスト運転の実行のみが要求されるときには目標温度がミスト給湯温度に設定され、給湯運転の実行が要求されているときには目標温度が給湯温度に設定されるので、ミスト運転と給湯運転とを切り換える際に目標温度を変更する手間が不要となる。
更に、ミスト運転の実行要求と給湯運転の実行要求とが同時に発生した場合において、ミスト運転の実行を待機状態にして優先的に給湯運転を実行するには、給湯運転の実行を適正に検知する必要がある。そこで、本構成では、制御部が、流量センサ等によって検出される給水路の流量がミスト用流量を越えたときに給湯運転の実行を検知する。こうすると、給湯運転の実行が確実に検知されてミスト運転を早急に待機状態にすることができるため、給湯運転を安定的に実行することができる。
更に、給湯運転が優先的に実行されてミスト運転が待機状態であっても、ミスト運転の代わりに暖房運転が行うことができる。これにより、室内を所定の温度に維持または上昇させることができるため、室内の温度低下を抑制することができる。
【０００９】
前記制御部は、前記ミスト運転が前記待機状態のときに前記給湯運転が停止すると前記ミスト運転を実行するものであると好適である。
【００１０】
このような構成とすれば、制御部は、優先された給湯運転が停止すると待機状態であったミスト運転を再開するので、ミスト運転を再開する操作が不要となる。これにより、ミスト機能付給湯装置の操作性が向上する。
【図面の簡単な説明】
【００１５】
【図１】ミスト機能付給湯装置の構成を示す模式図である。
【図２】ミスト機能付給湯装置の動作を示すフローチャートである。
【発明を実施するための形態】
【００１６】
本発明に係るミスト機能付給湯装置（以下、「ミスト装置」と称する）は、ユーザが浴室で手軽にミストサウナ入浴を楽しむことができるように構成される。以下、本実施形態のミスト装置１００について説明する。図１には、ミスト装置１００の構成が模式的に示される。
【００１７】
ミスト装置１００は、熱源機１と、ミスト部９０と、給湯部５５と、制御部１１と、を備える。熱源機１は、給水路４８を有し当該給水路４８を流れる水を加熱して温水を生成する。給水路４８には流量センサ４９が設けられている。ミスト部９０は、室内に向けられた複数のミストノズル２を備え、給水路４８に接続されたミストノズル２に熱源機で生成された温水を供給してミストノズル２から室内に向けて噴出するミスト運転を行う。室内とは、ミストサウナ入浴を楽しめる空間であり、例えば浴室Ｙ内が相当する。ミストノズル２とは、浴室内に向ってミスト用水を噴出する噴出口である。ミストノズル２には、ミスト用水路３を流通したミスト用水が供給される。本実施形態のミスト装置１００は、給湯部５５の他に湯張り部６５を備えている。
【００１８】
給湯部５５は、シャワーや通常の給湯等を行う給湯口５６と給水路４８から分岐する給湯水路５７とを有し、給湯水路５７を介して給湯口５６に熱源機１で生成された温水を供給する給湯運転を行う。湯張り部６５は、浴槽６６に湯張り給湯を行う風呂アダプタ６７と給水路４８から分岐する湯張り水路６８とを有し、湯張り水路６８を介して風呂アダプタ６７に熱源機１で生成された温水を供給する湯張り運転を行う。上述の通り、ミスト部９０は、所謂、熱源機１で加熱した湯をそのままミストノズル２からミスト状に噴出する「給湯直結方式」である。つまり、ミスト部９０のミスト用水路３、給湯部５５の給湯水路５７、湯張り部６５の湯張り水路６８には、いずれも熱源機１で生成された温水が供給される。以下には、浴室Ｙの天井裏に設置する「天井設置型」のミスト部９０を有するミスト装置１００を例に挙げて説明する。
【００１９】
図１に示されるように、ミスト装置１００は、浴室Ｙの天井Ｙａの裏側に設置されるミスト部９０と、浴室Ｙの天井Ｙａの表側に設置されるグリル板９１と、を備えている。ミスト部９０には、浴室Ｙ内から内気を吸引するとともに、熱源機１によって加熱供給される熱媒により内気を加温して温風として浴室Ｙ内に戻す暖房運転を行う内気循環部７０が備えられている。内気循環部７０は、循環ファン９４と、空気加熱用熱交換器９５と、換気ファン９６と、を有する。循環ファン９４は、グリル板９１に形成した吸引口９２を通して浴室Ｙ内の空気を吸引し、吸引した空気を浴室Ｙ内に向けて送風路９３を通して吹き出す循環手段である。空気加熱用熱交換器９５は、循環ファン９４にて通風される空気を加熱する空気加熱手段である。換気ファン９６は、吸引口９２を通して浴室Ｙ内の空気を吸引し、外部に排出する換気手段である。ミスト部９０には、上述した複数のミストノズル２、及び送風路９３から吹き出される空気の吹出方向を変更する可動ルーバ９７等が備えられる。ミストノズル２から噴出されるミスト用水は、熱源機１に設けられる第１燃焼器４２によって加熱される。
【００２０】
更に、ミスト部９０は、流量調節器１０、第１水路６１、第２水路６２、ノズル駆動部７１を備えて構成される。流量調節器１０は、ミスト用水路３を流れるミスト用水の単位時間当たりの流量の調節をする。ミスト用水路３は、熱源機１とミストノズル２とを連通し、ミスト用水が流通する管である。「単位時間当たりの流量」とは、所定時間（例えば１秒間）にミスト用水路３を流通するミスト用水の流量である。流量調節器１０は、ミスト用水路３に設けられる流量調節弁が相当する。このような流量調節器１０は、ミスト用水路３を流れるミスト用水が所期の流量に調節できるように、流路面積をリニアに変更可能なリニア弁で構成すると好適である。
【００２１】
制御部１１は、ミスト運転および給湯運転の動作を制御する。具体的には、主に流量調節器１０の動作と、熱源機１から供給される温水の目標温度をミスト運転用のミスト給湯温度と、給湯運転用の給湯温度とを切換えてミスト運転及び給湯運転とを制御する。流量調節器１０の動作とは、上述したようなミスト用水路３の流量を調節するための流量調節器１０の流路面積の変更動作である。なお、ミスト給湯温度と給湯温度とは、個別に温度設定を行うこともできる。
【００２２】
熱源機１は給水路４８を有し、当該給水路４８を流れる水を加熱して温水を生成する。熱源機１は第１熱交換機構３１と第２熱交換機構３２とを備えて構成される。第１熱交換機構３１は、第１熱交換部４１と第１燃焼器４２と第１比例弁４３とを備えて構成される。第２熱交換機構３２は、第２熱交換部４４と第２燃焼器４５と第２比例弁４６とを備えて構成される。開閉弁４７を介して第１比例弁４３及び第２比例弁４６に向けて燃料（例えばガス）が供給される。
【００２３】
流量調節器１０が開放されて流量センサ４９によって検出される給水路４８の流量が所定のミスト流量に達すると、第１比例弁４３、及び開閉弁４７が開弁され、熱源機１に燃料（例えばガス）が供給される。これにより第１燃焼器４２が運転を開始し、給水路４８を流通する水が第１熱交換部４１において加温される。このように加温されたミスト用の温水が、上述したミスト用水路３を流通する。
【００２４】
給湯部５５の給湯水路５７が開放されて流量センサ４９によって検出される給水路４８を流通する水の流量が所定の給湯流量に達すると、第１比例弁４３、及び開閉弁４７が開弁され、熱源機１に燃料（例えばガス）が供給される。これにより第１燃焼器４２が運転を開始し、給水路４８を流通する給湯用の水が第１熱交換部４１において加温される。このように加温された給湯用の温水が、給湯部５５の給湯水路５７を流通する。
【００２５】
湯張り部６５の湯張り水路６８が開放されて流量センサ４９によって検出される給水路４８を流通する給湯流量が所定の流量に達すると、第１比例弁４３、及び開閉弁４７が開弁され、熱源機１に燃料（例えばガス）が供給される。これにより第１燃焼器４２が運転を開始し、給水路４８を流通する湯張り用水が第１熱交換部４１において加温される。このように加温された湯張り用水が、上述した湯張り水路６８を流通し、湯張り水路６８に接続される風呂アダプタ６７を介して浴槽６６に供給される。なお、第１熱交換部４１により加温された水の温度は同じく給水路４８に設けられた温度センサ５０により検出する。
【００２６】
一方、上述した空気加熱用熱交換器９５による暖房運転を行う場合には、ポンプＰにより熱媒循環路５１内の熱媒を循環させた状態で第２比例弁４６を開弁する。これより、第２燃焼器４５が運転を開始し、熱媒循環路５１を流通する熱媒が第２熱交換部４４において加温される。このように加温された熱媒が、空気加熱用熱交換器９５に供給される。その後、循環ファン９４が動作されて、吸引口９２を通して浴室Ｙ内の空気を吸引し、吸引した空気が空気加熱用熱交換器９５によって加熱された後に浴室Ｙ内に向けて吹き出される。なお、熱媒循環路５１における熱媒の流通を制御するために、制御弁５２を設けると好適である。
【００２７】
制御部１１は、複数のミストノズル２からミスト用水の噴出を開始する場合、ミスト用水路３を流通するミスト用水の流量が所定時間に亘って設定ミスト流量（ミスト用流量の一例）以上となるように流量調節器１０の動作を制御する。設定ミスト流量とは、ミスト用水路３の上流側に接続されている燃焼器（上述した第１燃焼器４２）が動作開始可能となる流量以上の流量である。給水路４８を流通する水の流量が、所定のミスト流量の範囲であるか給湯流量（湯張り流量）の範囲であるかは給水路４８に設けられた流量センサ４９により検出する。ここで、第１燃焼器４２は、空焚き等の事故を防止すべく、所定の流量未満では着火しないように安全措置が施されている。そこで、制御部１１は、ミスト用水路３を流通するミスト用水の流量を、一旦、第１燃焼器４２が動作開始する流量以上に設定し、第１燃焼器４２の運転が停止しない程度の時間に亘ってその流量を維持するように流量調節器１０の動作を制御する。ミスト用水の設定ミスト流量は、例えば事前の試運転等により測定されて制御部１１に記憶されている。
【００２８】
一旦着火した後は、給水路４８を流通するミスト用水の流量が設定ミスト流量未満となった場合に、安全上、燃焼器（上述した第１燃焼器４２）が動作停止するように構成されている。このため、制御部１１は、ミスト用水路３を流通するミスト用水の流量を、設定ミスト流量よりも多い流量に維持するように流量調節器１０の動作を制御する。
【００２９】
ミスト用水路３は、例えば流量調節器１０よりもミストノズル２側に第１水路６１及び第２水路６２に分岐して構成される。第１水路６１には、第１水路６１を流通するミスト用水の単位時間当たりの流量を変更できる第１流量変更部６３が備えられ、第２水路６２には、第２水路６２を流通するミスト用水の単位時間当たりの流量を変更できる第２流量変更部６４が備えられる。第１流量変更部６３及び第２流量変更部６４は、夫々制御部１１により動作が制御される。
【００３０】
複数のミストノズル２において、第１ミストノズル２Ａは第１水路６１に接続されて第１噴出方向からミスト用水を噴出し、第２ミストノズル２Ｂは第２水路６２に接続されて第２噴出方向第からミスト用水を噴出する。制御部１１によって流量調節器１０が制御され、ミスト用水路３を流れる流量が設定ミスト流量になると、第１ミストノズル２Ａの第１噴出方向と、第２ミストノズル２Ｂの第２噴出方向とが互いに異なるように構成されている。
【００３１】
本実施形態では、第１水路６１は、浴室Ｙ内の洗い場Ｙ１に向けてミスト用水を噴出する第１ミストノズル２Ａに連通し、第２水路６２は、浴室Ｙ内の内壁Ｙ２に向けてミスト用水を噴出する第２ミストノズル２Ｂに連通して構成される。第２ミストノズル２Ｂの噴出方向を変更できるようにノズル駆動部７１が設けられている。
【００３２】
次に、ミスト運転及び給湯運転について図２のフローチャートを用いて説明する。例えば、リモコン等においてミスト装置１００のミスト運転の開始ボタンが押下されると、制御部１１にミスト運転開始の指示があったことを示す指示情報が送信される。
【００３３】
〔単独のミスト運転のフロー〕
リモコン等のＯＮ操作によりミスト運転の実行が要求され、制御部１１が当該要求を検知すると（ステップ＃１０：Ｙｅｓ）、流量調節器１０を開いてミスト用水路３に温水が流れる（ステップ＃１１）。流量センサ４９によって検出される給水路４８の流量（以下、給湯流量と称する）が設定ミスト流量になると（ステップ＃１２：Ｙｅｓ）、ミスト運転の実行が要求されて給湯運転の実行が要求されていないと判定して、目標温度をミスト運転用のミスト給湯温度に設定する（ステップ＃１３）。
【００３４】
その後、ミスト用の給湯燃焼が実行され（ステップ＃１４）、給湯流量が、設定ミスト流量と給湯運転に最低必要な給湯最低量との和よりも小さく（ステップ＃１５：Ｎｏ）、設定ミスト流量以上であれば（ステップ＃１６：Ｎｏ）、ミスト給湯温度でミスト運転用の給湯燃焼が継続される。給湯流量が設定ミスト流量未満になると（ステップ＃１６：Ｙｅｓ）、ミスト用の給湯燃焼が停止してミスト運転が終了する（ステップ＃１７）。
【００３５】
制御部１１によるミスト運転の実行が要求されているか否かの判定には、以下の方法が適宜採用される。
例えば、制御部１１が、ミスト運転の実行指令を受けていることをミスト部９０の制御部から取得する。制御部１１が、ユーザがリモコン装置の「ミスト運転」ボタンをＯＮ操作したミスト運転の実行が指令された状態であることを検出する。制御部１１が、ミスト運転が指令された状態において流量センサ４９で検出した給湯流量がミスト流量となったことを検知する。
【００３６】
〔ミスト運転の実行中に給湯運転の実行が要求された場合のフロー〕
ミスト運転が実行中であるときに（ステップ＃１４〜ステップ＃１６）、給湯口５６への給湯の実行が要求されて給湯流量が増加すると、流量センサ４９によって検出される給湯流量が設定ミスト流量と給湯最低量との和以上になる（ステップ＃１５：Ｙｅｓ）。つまり、制御部１１は、ミスト運転の実行が要求され且つ給湯運転の実行が要求されていると判定する。そうなると、流量調節器１０を閉じてミスト運転を待機状態にして暖房運転を開始し（ステップ＃３０）、目標温度を給湯温度に設定する（ステップ＃３１）。続いて、給湯運転用の給湯燃焼（ステップ＃３２）が行われ、給湯流量が給湯最低量以上（ステップ＃３３：Ｎｏ）であれば、そのまま給湯燃焼が継続される。給湯流量が給湯最低量未満になると（ステップ＃３３：Ｙｅｓ）、給湯燃焼が停止して給湯運転が終了する（ステップ＃３４）
【００３７】
その後、暖房運転が停止されて待機状態のミスト運転が再開される（ステップ＃３５）。具体的には、ステップ＃３５からステップ＃１１に戻り、流量調節器１０を開いてミスト用水路３に温水が流れる（ステップ＃１１）。続いて、前述のステップ＃１２〜ステップ＃１７によってミスト運転が実行される。
【００３８】
制御部１１による給湯運転の実行が要求されているか否かの判定には、以下の方法が適宜採用される。例えば、制御部１１が、ミスト運転が指令された状態において流量センサ４９で検出した給湯流量がミスト流量と給湯最低量との和以上であることを検知する。ミスト運転が指令されていない状態において流量センサ４９で検出した給湯流量が給湯最低量以上であることを検知する。ミスト運転が待機状態において流量センサ４９で検出した給湯流量が給湯最低量以上であることを検出する。
【００３９】
〔単独の給湯運転のフロー〕
制御部１１において、ミスト運転の実行の要求が検知されていないときは（ステップ＃１０：Ｎｏ）、目標温度を給湯温度に設定する（ステップ＃２０）。この状態で、シャワー等が使用されて給湯流量が給湯最低量以上（ステップ＃２１：Ｙｅｓ）になると、給湯運転用の給湯燃焼が行われる（ステップ＃２２）。給湯流量が給湯最低量以上（ステップ＃２３：Ｎｏ）であれば、ステップ＃２５、ステップ＃２０〜ステップ＃２３が繰り返されて給湯燃焼が継続される。つまり、制御部１１は、ミスト運転の実行が要求されておらず且つ給湯運転の実行が要求されていると判定する。給湯流量が給湯最低量未満になると（ステップ＃２３：Ｙｅｓ）、給湯燃焼が停止されて給湯運転が終了する（ステップ＃２４）。
【００４０】
〔給湯運転の実行中にミスト運転の実行の要求がされた場合のフロー〕
給湯運転の実行中にミスト運転がＯＮ操作されると、制御部１１はミスト運転の実行が要求されたと判定する（ステップ＃２３：Ｎｏ,ステップ＃２５：Ｙｅｓ）。このときは、ミスト運転が待機状態となり暖房運転が開始され（ステップ＃３０）、ステップ＃３１〜ステップ＃３３によって給湯運転が継続される。つまり、制御部１１は、ミスト運転の実行が要求され且つ給湯運転の実行が要求されていると判定する。給湯流量が給湯最低量未満になり（ステップ＃３３：Ｙｅｓ）、給湯燃焼が停止（給湯運転が終了）する（ステップ＃３４）と、前述の通り、暖房運転が停止されて待機状態になっていたミスト運転が再開される（ステップ＃３５，ステップ＃１１〜１８）。
【００４１】
このような特徴構成とすれば、ミスト運転と給湯運転のうち一方の実行が要求されているときは、そのままミスト運転または給湯運転が実行され、ミスト運転及び給湯運転の両方の実行が要求されているときは、給湯運転が優先されてミスト運転が待機状態になる。これにより、ミスト運転及び給湯運転は、同時運転が回避されて安定的に実行することができる。
また、ミスト運転の実行のみが要求されるときには目標温度がミスト給湯温度に設定され、給湯運転の実行が要求されているときには目標温度が給湯温度に設定されるので、ミスト運転と給湯運転とを切り換える際に目標温度を変更する手間が不要する。
【００４２】
また、制御部１１は、優先された給湯運転が停止すると待機状態のミスト運転を再開するので、ミスト運転を再開する操作が不要となる。これにより、ミスト装置１００の操作性が向上する。
【００４３】
ミスト運転の実行要求と給湯運転の実行要求とが同時に発生した場合において、ミスト運転の実行を待機状態にして優先的に給湯運転を実行するには、給湯運転の実行を適正に検知する必要がある。ここで、制御部１１は、ミスト運転のみを実行する際のミスト用流量を記憶しており、流量センサ４９によって検出される給水路４８の流量がミスト用流量を越えたときに給湯運転の実行を検知する。こうすると、給湯運転の実行が確実に検知されてミスト運転を早急に待機状態にすることができるため、給湯運転を安定的に実行することができる。
【００４４】
また、制御部１１は、給湯運転が優先されてミスト運転が待機状態になると内気循環部７０による暖房運転を行い、ミスト運転が再開されると当該暖房運転を停止する。
【００４５】
このような構成とすれば、給湯運転が優先的に実行されてミスト運転が待機状態であっても、ミスト運転の代わりに暖房運転が行うことができる。これにより、室内を所定の温度に維持または上昇させることができるため、室内の温度低下を抑制することができる。
【００４６】
〔その他の実施形態〕
上記の実施形態では、ミスト運転が待機状態にときに内気循環部７０による暖房運転を行う例を示したが、内気循環部７０による暖房運転はミスト運転の実行中においても実行されるよう構成してもよい。また、上記の実施形態では、内気循環部７０がミスト運転及び給湯運転のための温水を生成する熱源機１によって加熱供給される温水により内気を加温する例を示したが、内気循環部７０は、熱源機１とは異なる他の熱源機を用いて内気を加温してもよい。
【００４７】
ミストノズル２は、夫々方向の調節ができるように構成することも可能である。この場合には、ユーザに噴出されたミスト用水が良く当たるミストノズル２に供給するミスト用水の流量を少なくし、ユーザに噴出されたミスト用水が当たらないミストノズル２に供給するミスト用水の流量を多くし、且つ、ミストノズル２の角度をユーザにあたらない方向に連通する第１流量変更部６３や第２流量変更部６４の開度を大きくすると良い。これにより、ミストサウナ入浴を楽しむユーザの体感性を向上することができる。
【００４８】
上記実施形態では、ミスト用水路３は第１水路６１及び第２水路６２に分岐して構成されると説明したが、ミスト用水路３は分岐せずに構成することも可能である。
【００４９】
上記実施形態では、ミスト装置１００を浴室Ｙで利用する場合の例を挙げて説明したが、例えばサウナ室やその他の空間で利用することも可能である。
【００５０】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００５１】
本発明は、室内に向けられた複数のミストノズルを備え、ミスト用水路を通って供給されるミスト用水をミストノズルから室内に向けて噴出するミスト機能付給湯装置に用いることが可能である。
【符号の説明】
【００５２】
１：熱源機
２：ミストノズル
３：ミスト用水路
１０：流量調節器
１１：制御部
４８：給水路
５５：給湯部
６５：湯張り部
７０：内気循環部
９０：ミスト部
１００：ミスト装置（ミスト機能付給湯装置）
【図１】
0006738629.tif 000002
【図２】
0006738629.tif 000003